(57)【要約】      （修正有）【課題】飲料者の経済的な負担を軽減しつつ、カップ内にお湯を注いでから紅茶を飲むまでの時間を短くする。【解決手段】ティーバック１は、カップ３の開口部３ａの全域を覆うためのシート状の蓋部材５を備えており、この蓋部材５は、主に紙により構成されており、表面及び裏面に、ポリプロピレン（ＰＰ）からなるコーティング層を有している。蓋部材５が主に紙により構成される代わりに、プラスチック等の別の材料により構成されるようにしても構わない。蓋部材５の裏面には、紅茶の茶葉Ｍを内包する袋体７が熱融着によって設けられており、この袋体７は、ナイロンメッシュ（透水性材料の一例）により構成されている。【選択図】図３
2013144565.tif 000002
【特許請求の範囲】
【請求項１】
茶飲料をカップ内に抽出する際に用いられるティーバックにおいて、
前記カップの開口部の全域を覆うためのシート状の蓋部材と、
前記蓋部材の裏面に設けられ、透水性材料により構成され、茶飲料の茶葉を内包する袋体と、を備えたことを特徴とするティーバック。
【請求項２】
茶飲料をカップ内に抽出する際に用いられるティーバックセットにおいて、
スリット状の挿通孔が形成され、前記カップの開口部を覆うためのシート状の蓋部材と、
前記蓋部材の前記挿通孔に挿通可能であって、透水性材料により構成され、茶飲料の茶葉を封入する袋体と、
前記袋体の端部に一体的に設けられ、前記蓋部材に係止可能な係止部を有し、前記袋体を前記蓋部材の前記挿通孔に挿通させた状態で懸架するための懸架部材と、を備え、
前記蓋部材は、前記懸架部材の前記係止部と前記蓋部材の係止状態を解除することによって前記袋体に対して分離可能になっていることを特徴とするティーバック。
【請求項３】
前記蓋部材における前記挿通孔の一側に係止穴又は係止切込みが形成され、前記係止部は、前記蓋部材の前記係止穴又は前記係止切込みに係止可能な係止爪であることを特徴とする請求項１に記載のティーバック。
【発明の詳細な説明】
【技術分野】
【０００１】
本発明は、紅茶、日本茶、ウーロン茶、ハーブティー等の茶飲料を抽出する際に用いられるティーバックに関する。
【背景技術】
【０００２】
近年、ティーバッグについて種々の開発がなされており（特許文献１及び特許文献２参照）、市販の一般的なティーバッグの構成等は、次のようになる。
【０００３】
即ち、一般的なティーバッグは、紅茶等の茶飲料の茶葉を内包する袋体を備えており、この袋体は、透水性の不織布又は不織紙等により構成されている。また、袋体の上部には、吊り紐（下げ紐）の一端が取付られており、この吊り紐の他端には、摘み片が取付られてあって、この摘み片は、紙により構成されている。
【０００４】
従って、摘み片を手で持って、袋体をカップ内に入れる。次に、摘み片を手で持った状態又は吊り紐の一部をカップの外側に垂らした状態で、ポットを用いて、カップの開口部からカップ内にお湯を注ぐ。更に、ティーバック（袋体）を蒸らすことにより、紅茶等の茶飲料をカップ内に抽出することができる。
【先行技術文献】
【特許文献】
【０００５】
【特許文献１】特開２００８−１５００７１号公報
【特許文献２】特開２０１１−２５５９２４号公報
【発明の概要】
【発明が解決しようとする課題】
【０００６】
ところで、香味豊かな茶飲料をカップ内に抽出するには、ティーバックの蒸らしにある程度の時間を必要とする。そのため、カップ内にお湯を注いでから茶飲料を飲むまでの時間が長くなって、ティーバックの利用価値を十分に高めることが困難であるという問題がある。
【０００７】
なお、蓋付きのカップを用いれば、カップ内のお湯の保温してティーバックの蒸らし時間を短縮することもできるが、蓋付きコップは蓋のないコップに比べて高価であって、飲料者に経済的な負担を強いることになる。
【０００８】
そこで、本発明は、蓋付きカップを用いなくても、蒸らし時間を短縮することができる、新規な構成のティーバックを提供することを目的とする。
【課題を解決するための手段】
【０００９】
本発明の第１の特徴（請求項１に係る発明）は、茶飲料をカップ内に抽出する際に用いられるティーバックにおいて、前記カップの開口部の全域を覆うためのシート状の蓋部材と、前記蓋部材の裏面（裏側）に設けられ、透水性材料により構成され、茶飲料の茶葉を内包する袋体と、を備えたことを要旨とする。
【００１０】
なお、本願の明細書及び特許請求の範囲において、「茶飲料」とは、紅茶、日本茶、ウーロン茶、ハーブティー等を含む意である。
【００１１】
第１の特徴によると、前記カップの前記開口部から前記カップ内にお湯を注ぐ。次に、前記袋体を前記カップ内のお湯に浸しながら、前記蓋部材によって前記カップの前記開口部の全域を覆うように、前記ティーバックを前記カップにセットする。そして、前記蓋部材によって前記カップ内のお湯を保温した状態で、前記ティーバック（前記袋体）を蒸らすことにより、前記カップ内に茶葉飲料を短時間で抽出することができる。つまり、前記ティーバックが前記カップの開口部の全域を覆う前記蓋部材を備えているため、蓋付きのカップを用いなくても、前記カップ内のお湯を保温して前記ティーバックの蒸らし時間を短縮することができる。
【００１２】
本発明の第２の特徴（本願の請求項２に係る発明）は、茶飲料をカップ内に抽出する際に用いられるティーバックにおいて、スリット状の挿通孔が形成され、前記カップの開口部を覆うためのシート状の蓋部材と、前記蓋部材の前記挿通孔に挿通可能であって、透水性材料により構成され、茶飲料の茶葉を封入する袋体と、前記袋体の端部に一体的に設けられ、前記蓋部材に係止可能な係止部を有し、前記袋体を前記蓋部材の前記挿通孔に挿通させた状態で懸架するための懸架部材と、を備え、前記蓋部材は、前記懸架部材の前記係止部と前記蓋部材の係止状態を解除することによって前記袋体に対して分離可能になっていることを要旨とする。
【００１３】
第２の特徴によると、前記袋体を前記蓋部材の前記挿通孔に挿通させて、前記懸架部材の前記係止部を前記蓋部材に係止させることにより、前記袋体を前記蓋部材に前記懸架部材を介して取付ける。また、前記カップの前記開口部から前記カップ内にお湯を注ぐ。そして、前記袋体を前記カップ内のお湯に浸しながら、前記蓋部材によって前記カップの前記開口部を覆うように、前記ティーバックを前記カップにセットする。更に、前記蓋部材によって前記カップ内のお湯を保温した状態で、前記ティーバック（前記袋体）を蒸らすことにより、前記カップ内に茶葉飲料を短時間で抽出することができる。つまり、前記ティーバックが前記カップの開口部を覆う前記蓋部材と、前記袋体を前記蓋部材の前記挿通孔に挿通させた状態で懸架するための前記懸架部材とを備えているため、蓋付きのカップを用いなくても、前記カップ内のお湯を保温して前記ティーバックの蒸らし時間を短縮することができる。
【００１４】
前記ティーバックを前記カップから取外した後に、前記懸架部材の前記係止部と前記蓋部材の係止状態を解除して、前記袋体を前記蓋部材から前記懸架部材を介して取外す。そして、別の袋体を前述のように前記蓋部材に別の懸架部材を介して取付けることにより、前記蓋部材を茶飲料の抽出に再度利用することができる。つまり、前記蓋部材が前記懸架部材の前記係止部と前記蓋部材の係止状態を解除することによって前記袋体に対して分離可能になっているため、前記蓋部材を茶飲料の抽出に複数回利用することができる。
【００１５】
本発明の第３の特徴（本願の請求項３に係る発明）は、第２の特徴に加えて、前記蓋部材における前記挿通孔の一側に係止穴又は係止切込みが形成され、前記係止部は、前記係止穴又は前記係止切込みに係止可能な係止爪であることを要旨とする。
【発明の効果】
【００１６】
本発明によれば、蓋付きのカップを用いなくても、前記カップ内のお湯を保温して前記ティーバックの蒸らし時間を短縮できるため、飲料者の経済的な負担を軽減しつつ、前記カップ内にお湯を注いでから茶飲料を飲むまでの時間を短くして、前記ティーバックの利用価値を十分に高めることができる。特に、本発明の第２の特徴によれば、前記蓋部材を茶飲料の抽出に複数回利用できるため、前記ティーバックの利用価値をより十分に高めることができる。
【図面の簡単な説明】
【００１７】
【図１】図１（ａ）は、本発明の第１実施形態に係るティーバックを表側から見た図、図１（ｂ）は、本発明の第１実施形態に係るティーバックを裏側から見た図である。
【図２】図２は、本発明の第１実施形態に係るティーバックをカップにセットする前の様子を示す斜視図である。
【図３】図３は、本発明の第１実施形態に係るティーバックをカップにセットした後の様子を示す斜視図である。
【図４】図４は、本発明の第２実施形態に係るティーバックの分解斜視図である。
【図５】図５は、本発明の第２実施形態に係るティーバックをカップにセットする前の様子を示す斜視図である。
【図６】図６は、本発明の第２実施形態に係るティーバックをカップにセットした後の様子を示す斜視図である。
【発明を実施するための形態】
【００１８】
（第１実施形態）
本発明の第１実施形態について図１（ａ）（ｂ）から図３を参照して説明する。
【００１９】
図１（ａ）（ｂ）及び図２に示すように、本発明の第１実施形態に係るティーバック１は、紅茶（茶飲料の一例）をカップ３内に抽出する際に用いられるものである。そして、ティーバック１の具体的な構成は、次のようになる。
【００２０】
ティーバック１は、カップ３の開口部３ａの全域を覆うためのシート状の蓋部材５を備えており、この蓋部材５は、主に紙により構成されている。また、蓋部材５は、表面及び裏面に、ポリプロピレン（ＰＰ）からなるコーティング層を有している。なお、蓋部材５が主に紙により構成される代わりに、プラスチック等の別の材料により構成されるようにしても構わない。
【００２１】
蓋部材５の裏面には、紅茶の茶葉Ｍを内包する袋体７が熱融着によって設けられており、この袋体７は、ナイロンメッシュ（透水性材料の一例）により構成されている。なお、袋体７がナイロンメッシュにより構成される代わりに、不織布又は不織紙等の別の透水性材料により構成されても構わない。
【００２２】
蓋部材５の裏面（裏側）には、紅茶の抽出後に袋体７から漏出した水分を吸収する吸収シート部材（図示省略）が設けられることが望ましく、この吸収シート部材は、特開２００８−２２８８１７号公報及び特開２００９−７７９３５号公報に記載された公知の構成からなるものである。
【００２３】
続いて、本発明の第１実施形態の作用及び効果について説明する。
【００２４】
図２に示すように、ポット（図示省略）を用いて、カップ３の開口部３ａからカップ３内にお湯を注ぐ。次に、図３に示すように、袋体７をカップ３内のお湯に浸しながら、蓋部材５によってカップ３の開口部３ａの全域を覆うように、ティーバック１をカップ３にセットする。そして、蓋部材５によってカップ３内のお湯を保温した状態で、ティーバック１（袋体７）を蒸らすことにより、カップ３内に紅茶を短時間で抽出することができる。つまり、ティーバック１がカップ３の開口部３ａの全域を覆う蓋部材５を備えているため、蓋付きのカップを用いなくても、カップ３内のお湯を保温してティーバック１の蒸らし時間を短縮することができる。
【００２５】
紅茶の抽出後に、ティーバック１をカップ３から取外す。そして、袋体７を蓋部材５の裏面に保持された状態にしておくことにより、袋体７を回収するための回収皿として蓋部材５を用いることできる。
【００２６】
従って、本発明の第１実施形態によれば、蓋付きのカップを用いなくても、カップ３内のお湯を保温してティーバック１の蒸らし時間を短縮できるため、飲料者の経済的な負担を軽減しつつ、カップ３内にお湯を注いでから紅茶を飲むまでの時間を短くして、ティーバック１の利用価値を十分に高めることができる。特に、紅茶の抽出後に、回収皿として蓋部材５を用いることできるため、ティーバック１の利用価値をより十分に高めることができる。
【００２７】
（第２実施形態）
本発明の第２実施形態について図４から図６を参照して説明する。
【００２８】
図４及び図５に示すように、本発明の第２実施形態に係るティーバック９は、本発明の第１実施形態に係るティーバック１（図１（ａ）（ｂ）参照）と同様に、紅茶をカップ３内に抽出する際に用いられるものである。そして、ティーバック９の具体的な構成は、次のようになる。
【００２９】
ティーバック９は、カップ３の開口部３ａの全域を覆うためのシート状の蓋部材１１を備えており、この蓋部材１１は、主に紙により構成されている。また、蓋部材１１は、表面及び裏面に、ポリプロピレン（ＰＰ）からなるコーティング層を有している。更に、蓋部材１１には、スリット状の挿通孔１３が形成されており、蓋部材１１における挿通孔１３の両側には、係止穴１５がそれぞれ形成されている。なお、蓋部材１１が主に紙により構成される代わりに、プラスチック等の別の材料により構成されるようにしても構わなく、蓋部材１１に係止穴１５が形成される代わりに、係止切込み（図示省略）が形成されるようにしても構わない。
【００３０】
ティーバック９は、蓋部材１１の他に、紅茶の茶葉Ｍを内包する袋体１７を備えており、この袋体１７は、ナイロンメッシュにより構成されるものであって、蓋部材１１の挿通孔１３に挿通可能である。なお、袋体１７がナイロンメッシュにより構成される代わりに、不織布又は不織紙等の別の透水性材料により構成されても構わない。
【００３１】
袋体１７の端部には、袋体１７を蓋部材１１の挿通孔１３に挿通させた状態で懸架するための懸架部材１９が熱融着によって設けられており、この懸架部材１９は、紙により構成されている。また、懸架部材１９は、両端側（両先端側）に、蓋部材１１の対応する係止穴１５に係止可能な係止爪２１がそれぞれ有している。なお、懸架部材１９が紙により構成される代わりに、プラスチック等の別の材料により構成されるようにしても構わなく、前述のように蓋部材１１に係止切込みが形成された場合には、懸架部材１９の各係止爪２１が蓋部材１１の対応する係止切込みに係止可能になっている。
【００３２】
そして、蓋部材１１は、懸架部材１９の各係止爪２１と蓋部材１１の対応する係止穴１５の係止状態を解除することによって袋体１７に対して分離可能になっている。
【００３３】
蓋部材１１の裏面には、本発明の第１実施形態に係るティーバック１と同様に、紅茶の抽出後に袋体１７から漏出した水分を吸収する吸収シート部材（図示省略）が設けられることが望ましい。
【００３４】
続いて、本発明の第２実施形態の作用及び効果について説明する。
【００３５】
図５に示すように、袋体１７を蓋部材１１の挿通孔１３に挿通させて、懸架部材１９の各係止爪２１を蓋部材１１の対応する係止穴１５に係止させることにより、袋体１７を蓋部材１１に懸架部材１９を介して取付ける。次に、ポット（図示省略）を用いて、カップ３の開口部３ａからカップ３内にお湯を注ぐ。そして、図６に示すように、袋体１７をカップ３内のお湯に浸しながら、蓋部材１１によってカップ３の開口部３ａの全域を覆うように、ティーバック９をカップ３にセットする。更に、蓋部材１１によってカップ３内のお湯を保温した状態で、ティーバック９（袋体１７）を蒸らすことにより、カップ３内に紅茶を短時間で抽出することができる。つまり、ティーバック９がカップ３の開口部３ａの全域を覆う蓋部材１１と、袋体１７を蓋部材１１の挿通孔１３に挿通させた状態で懸架するための懸架部材１９とを備えているため、蓋付きのカップを用いなくても、カップ３内のお湯を保温してティーバック９の蒸らし時間を短縮することができる。
【００３６】
紅茶の抽出後に、ティーバック９をカップ３から取外す。そして、袋体１７を蓋部材１１の裏面に保持された状態にしておくことにより、袋体１７を回収するための回収皿として蓋部材１１を用いることできる。
【００３７】
蓋部材１１を回収皿として用いる代わりに、次のように用いても構わない。ティーバック９をカップ３から取外した後に、懸架部材１９の各係止爪２１と蓋部材１１の対応する係止穴１５の係止状態を解除して、袋体１７を蓋部材１１から懸架部材１９を介して取外す。そして、別の袋体（図示省略）を前述のように蓋部材１１に別の懸架部材（図示省略）を介して取付けることにより、蓋部材１１を紅茶の抽出に再度利用することができる。つまり、蓋部材１１が懸架部材１９の各係止爪２１と蓋部材１１の対応する係止穴１５の係止状態を解除することによって袋体１７に対して分離可能になっているため、蓋部材１１を紅茶の抽出に複数回利用することができる。
【００３８】
従って、本発明の第２実施形態によれば、蓋付きのカップを用いなくても、カップ３内のお湯を保温してティーバック９の蒸らし時間を短縮できると共に、紅茶の抽出後に、蓋部材１１を回収皿として用いることできるため、飲料者の経済的な負担を軽減しつつ、カップ３内にお湯を注いでから紅茶を飲むまでの時間を短くして、ティーバック９の利用価値を十分に高めることができる。特に、蓋部材１１を紅茶の抽出に複数回利用できるため、ティーバック９の利用価値をより十分に高めることができる。
【００３９】
なお、本発明は、前述の実施形態の説明に限られるものではなく、例えば、袋体７（１７）に紅茶の茶葉Ｍの代わりに、日本茶の茶葉、ウーロン茶の茶葉、ハーブティーの茶葉等を内包することによって、ティーバック１（９）を日本茶、ウーロン茶、ハーブティー等をカップ３内に抽出する際に用いられるようにする等、その他、種々の態様で実施可能である。また、本発明に包含される権利範囲は、これらの実施形態に限定されないものである。
【符号の説明】
【００４０】
Ｍ      紅茶の茶葉
１      ティーバック
３      カップ
３ａ    開口部
５      蓋部材
７      袋体
９      ティーバック
１１      蓋部材
１３      挿通孔
１５      係止穴
１７      袋体
１９      懸架部材
２１      係止爪
【図１】
2013144565.tif 000003
【図２】
2013144565.tif 000004
【図３】
2013144565.tif 000005
【図４】
2013144565.tif 000006
【図５】
2013144565.tif 000007
【図６】
2013144565.tif 000008